(57)【特許請求の範囲】
【請求項１】
上下左右方向に隣接するＡＬＣ壁パネルにより形成される開口部に、窓枠サッシの上下枠が固定部材を介して上下方向のＡＬＣパネルの取付アングルに固定されている窓枠サッシの取付構造において、
前記開口部上方パネルの下側小口面と窓枠サッシ上枠、そして、前記開口部下方パネルの上側小口面と窓枠サッシ下枠とのそれぞれの隙間の室外側寄りにバックアップ材が介装されているとともに、
前記開口部上方パネルのパネル取付アングルと前記窓枠サッシ上枠、そして、前記開口部下方パネルのパネル取付アングルと前記窓枠サッシ下枠とのそれぞれのバックアップ材より室内側の空間にのみモルタルが介在するように充填され、
前記窓枠サッシ下枠は、室外側に延びる水切り板とその先端から下方に延びる先端垂下片を備え、
前記窓枠サッシはＡＬＣパネル外壁面から離れて室内側寄りに奥付け取付されており、かつ、前記開口部下方パネルの室内側の上側小口部に、前記開口部下方パネルのパネル取付アングルが収納されてパネル幅方向に深さ１０ｍｍ〜３０ｍｍの切り欠き部が設けられていることを特徴とする窓枠サッシの取付構造。
【請求項２】
前記開口部上方パネルと前記開口部下方パネルの各パネル外壁面にタイルを貼着したタイル張り仕上げに採用された請求項１記載の窓枠サッシの取付構造。
【発明の詳細な説明】
【技術分野】
【０００１】
本発明は、上下左右方向に隣接するＡＬＣ壁パネルにより形成される開口部に、窓枠サッシを取付固定する取付構造に関するものである。
【背景技術】
【０００２】
ＡＬＣパネル（以下、パネルという。）から成る建物壁面に形成された開口部に窓枠サッシを取り付ける開口部の構造として、特許文献１が知られている。
すなわち、図４に示すパネル壁面において、開口部４は、その両脇となる左右パネル１、上方パネル２および下方パネル３がそれぞれ縦長に並設されることにより形成され、それら左右パネルの上下、また、上方パネル２の上側および下方パネル３の下側が、上下に架設された建物躯体Ｋに固定された定規アングル７にそれぞれ取り付けられている。
【０００３】
そして、左右パネル１における開口部側の長辺小口面１ｃには縦補強鋼材５ｃがそれぞれ配設されており、その縦補強鋼材５ｃに、上方パネル２と下方パネル３が取り付けられるパネル取付用アングル５（上方パネル取付アングル５ａおよび下方パネル取付アングル５ｂ）がそれぞれ固定されている。
また、図３および図４に示すように、前記左右パネル１は定規アングル７、に、上方パネル２および下方パネル３はパネル取付アングル５に、それぞれイナズマプレート６を介して通常の取付方法で固定されている。
【０００４】
さらに、図３に示すように、壁パネルにより形成された開口部４に窓枠サッシ８が取り付けられており、具体的には、窓枠サッシ８のサッシ上枠８ａとサッシ下枠８ｂが、それぞれの連結部材１２を介して上方パネル取付アングル５ａと下方パネル取付アングル５ｂとにそれぞれ取り付けられている。
また、上方パネル２の下側小口面２ａと窓枠サッシ上枠８ａ、そして、下方パネル３の上側小口面３ａと窓枠サッシ下枠８ｂとのそれぞれの隙間Ｓの全空間に渡って、水密性を確保する目的でモルタル１０が充填されている。
そして、水切り板９の先端垂下片９ａとモルタル１０の表面との間にシーリング材１４が充填されている。
【０００５】
【特許文献１】特開２００４−１８３２６９号公報
【発明の開示】
【発明が解決しようとする課題】
【０００６】
しかし、前述の窓枠サッシ８の上方パネル２および下方パネル３への取付構造には、以下の問題点があった。
すなわち、上方パネル２の下側小口面２ａと窓枠サッシ上枠８ａ、そして、下方パネル３の上側小口面３ａと窓枠サッシ下枠８ｂとのそれぞれの隙間Ｓの全空間に渡ってモルタル１０が充填されているため、窓枠サッシ８と上方パネル２および下方パネル３とが完全に固着して一体化されてしまう。
【０００７】
これにより、地震発生時における建物躯体の変位に対して、上方パネル２や下方パネル３がそれぞれ個別にロッキング追従できないため、結果として、上下のパネルや窓枠サッシに破損が発生することになる。
さらに、水切り板９の先端垂下片９ａとモルタル１０面との間へのシーリング材１４の充填は、開口部周囲のパネルがロッキングしないためにシーリング材１４が切れたりモルタル１０の内部にクラックが発生してしまい、そこから雨水が室内に進入するという問題点があった。
そこで、本発明の目的は、ＡＬＣ壁パネルにより形成される開口部に窓枠サッシを取り付けても、その開口部の上方パネルおよび下方パネルがそれぞれ個別にロッキング可能となる窓枠サッシの取付構造を提供することにある。
【課題を解決するための手段】
【０００８】
本発明は、前記課題を解決するために、
上下左右方向に隣接するＡＬＣ壁パネルにより形成される開口部に、窓枠サッシの上下枠が固定部材を介して上下方向のＡＬＣパネルの取付アングルに固定されている窓枠サッシの取付構造において、
前記開口部上方パネルの下側小口面と窓枠サッシ上枠、そして、前記開口部下方パネルの上側小口面と窓枠サッシ下枠とのそれぞれの隙間の室外側寄りにバックアップ材が介装されているとともに、
前記開口部上方パネルのパネル取付アングルと前記窓枠サッシ上枠、そして、前記開口部下方パネルのパネル取付アングルと前記窓枠サッシ下枠とのそれぞれのバックアップ材より室内側の空間にのみモルタルが介在するように充填され、
前記窓枠サッシ下枠は、室外側に延びる水切り板とその先端から下方に延びる先端垂下片を備え、
前記窓枠サッシはＡＬＣパネル外壁面から離れて室内側寄りに奥付け取付されており、かつ、前記開口部下方パネルの室内側の上側小口部に、前記開口部下方パネルのパネル取付アングルが収納されてパネル幅方向に深さ１０ｍｍ〜３０ｍｍの切り欠き部が設けられている窓枠サッシの取付構造を採用した。
【発明の効果】
【０００９】
本発明によれば、ＡＬＣ壁パネルにより形成される開口部に窓枠サッシを取り付けても、地震発生時における建物躯体の変位に対して、その開口部の上方パネルおよび下方パネルがそれぞれ個別にロッキング可能となり、それらパネルの破損を防止することができる。
さらに、固定部材を介して窓枠サッシ下枠と下方パネルのパネル取付アングルとを溶接する際の作業スペースが広くなる。また、下方パネルのパネル高さ（長さ）を上方へ延ばしてパネル室外側の幅方向に延びる突条部を窓枠サッシ下枠の水切り板の直下まで近接させることが可能となる。これにより、水切り板の先端垂下片と下方パネルの平らな外壁面との間でシーリングできるようになるため、高い水密性を確保できるとともに、建物躯体の変形や作業性の悪さ起因する施工不良などによりシーリング材が切れたりする不具合がなくなる。
【発明を実施するための最良の形態】
【００１０】
以下、本発明の実施形態を図１、図２に基づいて説明する。なお、符号は従来例と同一のものはその符号を付した。
図１は、本発明において、上下左右方向に隣接するパネルにより形成される開口部４への窓枠サッシ８の取付構造の一実施形態を示す縦断面図である。また、図２は、本発明において、他の実施形態を示す縦断面図である。
【００１１】
図１に示す窓枠サッシの取付構造は、図４において開口部４の両脇となる各１枚の左右パネル１と、各３枚の上方パネル２および下方パネル３とがそれぞれ縦長に並設されて開口部４が形成されており、その開口部４に窓枠サッシ８が取り付けられたものである。
そして、各左右パネル１における開口部側の長辺小口面１ｃには縦補強鋼材５ｃがそれぞれ配設されており、その縦補強鋼材５ｃに、上方パネル２と下方パネル３を取り付けるパネル取付用アングル５（上方パネル取付アングル５ａおよび下方パネル取付アングル５ｂ）がそれぞれ固定されている。
【００１２】
左右パネル１、上方パネル２および下方パネル３は、図３および図４に示すように、建物躯体Ｋに溶接固定された定規アングル７またはパネル取付アングル５（５ａ、５ｂ）に、イナズマプレート６を介して各パネル（１，２，３）がそれぞれ個別にロッキングできるように従来と同様の方法により取り付けられている。
また、窓枠サッシ８が取り付けられる上方パネル２または下方パネルにおいても、図１に示すように、イナズマプレート６の一方片でパネル取付アングル５（５ａ、５ｂ）を挟持させるとともに、他方片に設けられた貫通孔を挿通させたボルトをパネル内の埋設アンカーに螺合させて、取付アングル５（５ａ、５ｂ）にそれぞれのパネル（２，３）が取り付けられている。
【００１３】
窓枠サッシ上枠８ａおよび下枠８ｂは、図１に示すように、固定部材１２を介して上方パネル２または下方パネル３のパネル取付アングル５（５ａ、５ｂ）にそれぞれ溶接固定されている。
開口部４の上方パネル２の下側小口面２ａと窓枠サッシ上枠８ａとの隙間Ｓ、および、開口部４の下方パネル３の上側小口面３ａと窓枠サッシ下枠との隙間Ｓに、バックアップ材１１がそれぞれ介装されている。
そして、図１に示すように、隙間Ｓにおいてバックアップ材１１より室内側であって、開口部４の上方パネル２のパネル取付アングル５ａと窓枠サッシ上枠８ａとの隙間Ｓａ、および、開口部４の下方パネル３のパネル取付アングル５ｂと窓枠サッシ下枠８ｂとの隙間Ｓａにのみ、それぞれモルタル１０が介在するように充填されている。
【００１４】
このように、本発明の窓枠サッシの取付構造において、上方下方パネル２、３の小口面２ａ、３ａと窓枠サッシの上下枠８ａ、８ｂとの隙間Ｓにバックアップ材１１が介在されており、そのバックアップ材１１より室内側であって、かつ、窓枠サッシ枠８（８ａ、８ｂ）とパネル取付アングル５（５ａ、５ｂ）との隙間Ｓａにのみモルタル１０が介在するように充填されている一方で、バックアップ材１１より室外側の窓枠サッシ枠８（８ａ、８ｂ）とパネル小口面２ａ、２ｂとの隙間Ｓｂにはモルタルが全く充填されていない。
この窓枠サッシの取付構造によれば、窓枠サッシ８と上方下方パネル２、３のそれぞれの小口面２ａ、３ａとがモルタルにより固着して一体化されていないため、地震発生時における建物躯体の変形に対して、開口部４の上方パネル２および下方パネル３がそれぞれ個別にロッキングして追従することが可能となる。これにより、窓枠サッシ８への変形の負荷低減や開口部を形成する上下左右方向のパネルの破損を防止することができるようになる。
【００１５】
さらに、従来、図３に示すように、水切り板９の先端垂下片９ａとモルタル１０の表面との間にシーリング材１４が充填されていたものと比較して、水切り板９の先端垂下片９ａと下方パネル３の外壁面との間でシーリングできるようになるため、高い水密性を確保できるようになる。
このとき、水切り板９の先端垂下片９ａを下方に単に延ばして外壁面との間でシーリングするも考えられるが、建物の外観意匠上好ましくない。
【００１６】
また、本発明は、図２に示すような、パネル外壁面から離れて室内側寄りに窓枠サッシが奥付け取付されている窓枠サッシの取付構造に採用することにより、その効果を一層発揮することができる。
この窓枠サッシが奥付け取付されている窓枠サッシの取付構造について説明する。
この取付構造において、前述の実施形態と主に異なる点は、図２に示すように、下方パネル３の室内側の上側小口部に、パネル幅方向に渡って下方パネル３のパネル取付アングル５ｂが収納されて深さＸ（パネル長さ方向への寸法）１０ｍｍ〜３０ｍｍの切り欠き部３ａが設けられていることにある。
【００１７】
そして、図２に示すように、下方パネル３の切り欠き部３ｂ内の底面に下方パネル３のパネル取付アングル５ｂが当接して収納されるとともに、下方パネル３の上側小口面３ａと窓枠サッシ下枠８ｂとの隙間Ｓに、バックアップ材１１が介装されている。
さらに、図２に示すように、隙間Ｓにおいてバックアップ材１１より室内側であって、開口部４の下方パネル３のパネル取付アングル５ｂと窓枠サッシ下枠８ｂとの隙間Ｓａにのみ、モルタル１０が介在するように充填されている。
【００１８】
このように、この窓枠サッシが奥付け取付されている窓枠サッシの取付構造において、下方パネル３の小口面３ａまたは切り欠き部３ｂと窓枠サッシの下枠８ｂとの隙間Ｓにバックアップ材１１が介在されており、そのバックアップ材１１より室内側であって、かつ、窓枠サッシ下枠８ｂと下方パネル取付アングル５ｂとの隙間Ｓａにのみモルタル１０が介在するように充填されている一方で、バックアップ材１１より室外側の窓枠サッシ下枠８ｂと下方パネル小口面２ｂとの隙間Ｓｂにはモルタルが全く充填されていない。
【００１９】
なお、上方パネル２の下側小口部は、前述の実施形態と同等切り欠き部を設けなくても、この下方パネル３と同様に切り欠き部を設けてもどちらでも良い。
この窓枠サッシの取付構造によれば、窓枠サッシ８と上方下方パネル２、３のそれぞれの小口面２ａ、３ａとがモルタルにより固着して一体化されていないため、地震発生時における建物躯体の変位に対して、開口部４の上方パネル２および下方パネル３がそれぞれ個別にロッキングして追従することが可能となる。これにより、窓枠サッシ８への変形の負荷低減や開口部を形成する上下左右方向のパネルの破損を防止することができるようになる。
【００２０】
さらに、図２に示すように、下方パネル３の小口部に切り欠き部３ｂが設けてあると、固定部材１２を介して窓枠サッシ下枠８ｂと下方パネル３のパネル取付アングル５ｂとを溶接する際の作業スペースが広くなり好ましい。
また、下方パネル３の切り欠き部３ｂに下方パネル取付アングル５ｂが収納されるため、結果的に、パネル高さ（長さ）を上方へ延ばしてパネル室外側の幅方向に延びる突条部３ｃを窓枠サッシ下枠８ｂの水切り板９の直下まで近接させることが可能となる。
これにより、従来、図３に示すように、水切り板９の先端垂下片９ａとモルタル１０の表面との間にシーリング材１４が充填されていたものと比較して、水切り板９の先端垂下片９ａと下方パネル３の平らな外壁面との間でシーリングできるようになるため、高い水密性を確保できるとともに、建物躯体の変形や作業性の悪さ起因する施工不良などによりシーリング材が切れたりする不具合がなくなる。
なお、この窓枠サッシが奥付け取付される窓枠サッシの取付構造は、通常、図２に示すように、パネル外壁面および開口部４を形成する左右パネル１の長辺小口面１ｃの室外側にタイル１３を貼着して窓枠サッシ８付近における重厚感を演出するタイル張り仕上げに採用される。
【００２１】
また、下方パネル取付アングル５ｂと同様に、切り欠き部３ｂの内部にバックアップ材１１が嵌った状態で所定位置に介装されるようになるため、バックアップ材１１の脱落が発生しなくなるため好ましい。
【００２２】
以上、本発明の実施形態を図面に基づいて詳細に説明してきたが、本発明の具体的な構成はこの実施形態に限定されるものではなく、発明の要旨を逸脱しない範囲の設計変更等があっても本発明に含まれる。
【産業上の利用可能性】
【００２３】
本発明によれば、地震発生時においても、開口部周辺の窓枠サッシやパネルの破損を防ぐことができるため、経済的な貢献は計り知れない。
【図面の簡単な説明】
【００２４】
【図１】本発明の窓枠サッシの取付構造の一実施形態を示す縦断面図。
【図２】本発明の窓枠サッシの取付構造の他の実施形態を示す縦断面図。
【図３】従来例における窓枠サッシの取付構造を示す縦断面図。
【図４】開口部におけるＡＬＣパネルの取付構造を示す正面図。
【符号の説明】
【００２５】
１  左右パネル
１ｃ 長辺小口面
２  上方パネル
２ａ 下側小口面
３  下方パネル
３ａ 上側小口面
３ｂ 切り欠き部
３ｃ 突条部
Ｘ   切り欠き深さ
４  開口部
５  パネル取付アングル
５ａ 上方パネル取付アングル
５ｂ 下方パネル取付アングル
５ｃ 縦補強鋼材
６  イナズマプレート
７  定規アングル
８  窓枠サッシ
８ａ サッシ上枠
８ｂ サッシ下枠
９  水切り板
９ａ 先端垂下片
１０  モルタル
１１  バックアップ材
１２  固定部材
１３  タイル
１４  シーリング部材
Ｋ  建物躯体
Ｓ  隙間
Ｓａ バックアップ材より室内側の隙間
Ｓｂ バックアップ材より室外側の隙間
【図１】
0005638292.tif 000002
【図２】
0005638292.tif 000003
【図３】
0005638292.tif 000004
【図４】
0005638292.tif 000005